(57)【特許請求の範囲】
【請求項１】
電子素子が実装されたベース基板と、
前記ベース基板と接合して形成されるキャビティ内に前記電子素子が封入されるリッド基板と、を備え、
前記リッド基板の内側面には少なくとも一つの金属製凸部が形成されており、前記金属製凸部の少なくとも先端が、前記電子素子に当接し、
前記金属製凸部の表面にはゲッター膜が形成されていることを特徴とする電子部品。
【請求項２】
前記リッド基板の内側面にはゲッター膜が形成されていることを特徴とする請求項１に記載の電子部品。
【請求項３】
前記金属製凸部は、金属バンプによって形成されていることを特徴とする請求項１または２に記載の電子部品。
【請求項４】
前記金属製凸部は、金属バンプと、前記金属バンプの表面に形成されるめっき層によって形成されていることを特徴とする請求項１または２項に記載の電子部品。
【請求項５】
前記リッド基板の内側面において、前記電子素子の発熱抵抗が実装されている領域の対向領域に形成されている複数の前記金属製凸部の間隔が、前記対向領域外に形成されている複数の前記金属製凸部の間隔よりも狭いことを特徴とする請求項１乃至４のいずれか１項に記載の電子部品。
【請求項６】
前記金属製凸部は、前記リッド基板側から前記電子素子側に向かうにつれて、幅が細くなる形状を有していることを特徴とする請求項１乃至５のいずれか１項に記載の電子部品。
【請求項７】
前記リッド基板は、ガラス材料、シリコン材料又は金属材料によって形成されていることを特徴とする請求項１乃至６のいずれか１項に記載の電子部品。
【請求項８】
前記リッド基板は、側壁部分がガラス材料で形成され、主面部分がシリコン材料によって形成されることを特徴とする請求項１乃至７のいずれか１項に記載の電子部品。
【請求項９】
電子素子が実装されたベース基板と、
前記ベース基板と接合して形成されるキャビティ内に前記電子素子が封入されるリッド基板と、を備え、
前記リッド基板の内側面には少なくとも一つの金属製凸部が形成されており、前記金属製凸部の少なくとも先端が、前記電子素子に当接し、
前記リッド基板の内側面において、前記電子素子の発熱抵抗が実装されている領域の対向領域に形成されている複数の前記金属製凸部の間隔が、前記対向領域外に形成されている複数の前記金属製凸部の間隔よりも狭いことを特徴とする電子部品。
【請求項１０】
電子素子が実装されたベース基板と、
前記ベース基板と接合して形成されるキャビティ内に前記電子素子が封入されるリッド基板と、を備え、
前記リッド基板の内側面には少なくとも一つの金属製凸部が形成されており、前記金属製凸部の少なくとも先端が、前記電子素子に当接し、
前記金属製凸部は、前記リッド基板側から前記電子素子側に向かうにつれて、幅が細くなる形状を有していることを特徴とする電子部品。
【請求項１１】
電子素子が実装されたベース基板と、
前記ベース基板と接合して形成されるキャビティ内に前記電子素子が封入されるリッド基板と、を備え、
前記リッド基板の内側面には少なくとも一つの金属製凸部が形成されており、前記金属製凸部の少なくとも先端が、前記電子素子に当接し、
前記リッド基板は、側壁部分がガラス材料で形成され、主面部分がシリコン材料によって形成されていることを特徴とする電子部品。
【発明の詳細な説明】
【技術分野】
【０００１】
本発明は、ベース基板とリッド基板とによって形成されるキャビティ内に電子素子が封入されている電子部品に関する。
【背景技術】
【０００２】
従来より、ベース基板とリッド基板とを有し、これらの基板によって形成されるキャビティ内に電子素子を封入する電子部品が知られている。このような電子部品では、ベース基板上に実装された電子素子と、電子部品のパッケージ外部に形成されている外部電極とが電気的に接続されており、外部電極から電子素子に対して電圧を印加することで、当該電子素子が動作するように構成されている。
【０００３】
しかし電子素子の動作時は、電子素子が発熱するので、これにより、電子素子が封入されているパッケージ内の温度が上昇してしまう。その結果、電子素子の性能低下を招き、電子部品の高性能化に対応できない。
【０００４】
そこで従来より、電子素子からの発熱を電子部品のパッケージ外に放熱可能な構成が提案されている。より具体的には、電子素子の上面に金属製ボールを形成し、この金属製ボールを介して電子素子で生じた熱を放熱させる構成（特許文献１）や、電子素子とリッド基板との間に放熱ペーストを介在させる構成（特許文献２）が知られている。
【先行技術文献】
【特許文献】
【０００５】
【特許文献１】特開平４−２３７１５３号公報
【特許文献２】特開２０１１−１４６４１５号公報
【発明の概要】
【発明が解決しようとする課題】
【０００６】
しかしながら上記従来技術には次の課題がある。
例えば、特許文献１には、電子素子の上面に金属製ボールを形成する技術が開示されているが、金属製ボールを形成する際に、電子素子の上面に予めＡｕめっき層を形成する必要があるので、製造工程の複雑化につながり、低コスト化を実現できない。また、金属製ボールを形成するための装置を電子素子に近接または接触させる必要があるので、金属製ボールを形成する際の装置の作業性、電子素子の耐久性の観点から、電子素子の小型化の要求に対応することは極めて困難である。
【０００７】
また、特許文献２には、放熱ペーストを設ける構成が開示されているが、放熱ペーストから放出されるアウトガスによって、電子部品のパッケージ内部の真空度が低下し、その結果、電子部品の高性能化への要求に対応することができない。
【０００８】
即ち、従来技術によれば、小型化かつ高性能化に対応した電子部品を低コストに提供することは困難である。そこで本発明は、小型化かつ高性能化に対応した電子部品を低コストに提供することを目的とする。
【課題を解決するための手段】
【０００９】
上記目的を達成するために本発明の電子部品は、
電子素子が実装されたベース基板と、前記ベース基板と接合して形成されるキャビティ内に前記電子素子が封入されるリッド基板と、を備え、前記リッド基板の内側面には少なくとも一つの金属製凸部が形成されており、前記金属製凸部の少なくとも先端が、前記電子素子に当接していることを特徴とする。
【００１０】
かかる構成によれば、金属製凸部の少なくとも先端が、電子素子に当接していることにより、電子素子で生じた熱を金属製凸部を介して効率よくパッケージ外部に放熱することができるので電子部品の高性能化を実現できる。また、金属製凸部がリッド基板の内側面に形成されているので、電子素子と別個に金属製凸部を形成することができる。よって、電子素子を小型化しても、金属製凸部を容易に形成することが可能であるので、電子部品の小型化、低コスト化を実現できる。
【００１１】
また、本発明にあっては、
前記リッド基板の内側面にはゲッター膜が形成されていると好適である。
【００１２】
かかる構成によれば、ゲッター膜によってキャビティ内部の真空度を高めることが可能になり、電子部品の高性能化を実現することができる。また、電子素子で生じた熱によってゲッター膜を活性化させることが可能になるので、キャビティ内部の真空度を容易に高めることが可能になる。
【００１３】
また、本発明にあっては、
前記金属製凸部の表面にはゲッター膜が形成されていると好適である。
【００１４】
かかる構成によれば、
金属製凸部の表面は、電子素子で生じた熱が伝わりやすいので、容易にゲッター膜を活性化することができ、キャビティ内部の真空度を容易に高めることが可能になる。また、キャビティの真空度を向上させるために、ゲッター膜を加熱する手段を別途設ける必要がないので、低コスト化と高機能化を両立できる。
【００１５】
また、本発明にあっては、
前記金属製凸部は、金属バンプによって形成されていると好適である。
【００１６】
かかる構成によれば、
金属製凸部を容易に形成することができるので、電子部品の小型化、高機能化を低コストで実現することが可能になる。
【００１７】
また、本発明にあっては、
前記金属製凸部は、金属バンプと、前記金属バンプの表面に形成されるめっき層によって形成されていると好適である。
【００１８】
かかる構成によれば、
金属バンプの表面にめっき層が形成されていることで、めっき層の層厚を調整することで、金属製凸部と電子素子との当接状態を変更することができる。よって、金属バンプの厚みに関わらず、金属製凸部を電子素子に対して確実に当接させることが可能になる。
【００１９】
また、本発明にあっては、
前記リッド基板の内側面において、前記電気素子の発熱抵抗が実装されている領域の対向領域に形成されている複数の前記金属製凸部の間隔が、前記対向領域外に形成されている複数の前記金属凸部の間隔よりも狭いことを特徴とする。
【００２０】
かかる構成によれば、
放熱量が多い発熱抵抗の対向領域に金属製凸部を密に配置することができるので、電子素子で生じた熱をより効果的に放熱することが可能になり、電子部品の高機能化を容易に実現することができる。
【００２１】
また、本発明にあっては、
前記金属製凸部は前記リッド基板側から前記電子素子に向かうにつれて、幅が細くなる形状を有していると好適である。
【００２２】
かかる構成によれば、
金属製凸部の先端の幅が細いので、金属製凸部が電子素子に当接する場合に、先端を変形させつつ当接状態を維持することができ、電子素子で生じた熱をより確実に放熱させることが可能になる。
【００２３】
また、本発明にあっては、
前記リッド基板は、ガラス材料、シリコン材料又は金属材料によって形成されていると好適である。さらには、前記リッド基板は、側壁部分がガラス材料で形成され、主面部分がシリコン材料によって形成されると好適である。
【発明の効果】
【００２４】
以上説明したように、本発明によれば、小型化かつ高性能化に対応した電子部品を低コストに提供することが可能になる。
【図面の簡単な説明】
【００２５】
【図１】第１実施形態におけるリッド基板の概略構成図である。
【図２】第１実施形態に係る電子部品の概略構成図である。
【図３】第２実施形態に係る電子部品の概略構成図である。
【図４】第３実施形態におけるリッド基板の概略構成図である。
【発明を実施するための形態】
【００２６】
以下に図面を参照して、この発明を実施するための形態を例示的に詳しく説明する。ただし、以下の実施形態に記載されている構成部品の寸法、材質、形状、その相対配置などは、特に特定的な記載がない限りは、この発明の範囲をそれらのみに限定する趣旨のものではない。
【００２７】
[第１実施形態]
図１、図２を参照して、本発明に係る第１実施形態について説明する。
【００２８】
（１：リッド基板の構成）
図１に、本実施形態におけるリッド基板１０の概略構成を示す。リッド基板１０の内側側面には、複数の凸部１２（金属製凸部）が形成されている。本実施形態では、金属製のリッド基板１０に対して、金属製の凸部１２が一体的に形成されている。また、凸部１２は、根元の幅と比較して先端の幅が細くなる形状を有している。なお、リッド基板１０の材料は金属材料に限定されるものではなく、ガラス材料やシリコン材料であってもよい。
【００２９】
凸部１２の表面には、ゲッター膜１１が成膜されている。本実施形態では、ゲッター膜１１が凸部１２の表面だけではなく、リッド基板１０のほぼ全面を覆うように成膜されている。ゲッター膜１１は、金属材料によって形成される膜であり、加熱されることにより活性化し、酸素や水素を吸着するゲッタリング機能を有している。
【００３０】
なお、本実施形態では、断面視コの字状のリッド基板１０を用いているが、本発明におけるリッド基板１０の形状はこれに限られるものではなく、平板状のリッド基板１０であってもよい。また、凸部１２はリッド基板１０の内側側面に少なくとも一つ形成されていればよい。
【００３１】
（２：電子部品の構成）
図２を参照して、本実施形態に係る電子部品１の構成を説明する。
本実施形態に係る電子部品１は、上述したリッド基板１０とベース基板３０とを有し、これらの基板の間に形成されるキャビティ内に電子素子２０（半導体素子、水晶振動子、ＭＥＭＳ素子など）が封入されている。なお、リッド基板１０とベース基板３０との接合方法は、接着剤等による接合、陽極接合方法による接合、電子ビームによる接合、ろう材を溶融させることによる接合など、基板の材料等に応じて種々の接合方法を採用することができる。
【００３２】
キャビティ内に封入されている電子素子２０は、ベース基板３０上に形成された電極パターン２２上に金属バンプ２１によって実装されている。
【００３３】
ベース基板３０には貫通孔３３が形成されており、貫通孔３３の内側面には導電膜３２が成膜されている。導電膜３２は、貫通孔３３の一端において上述の電極パターン２２と接続しており、貫通孔３３の他端において、外部電極３１と接続している。また、貫通孔３３の内部は、めっきによって封止されており、これによって貫通電極が形成されている。
【００３４】
かかる構成により、外部電極３１とベース基板３０上に実装された電子素子２０とを電気的に接続しつつ、キャビティ内を確実に封止することができる。なお、本実施形態では、導電膜３２とめっきによって貫通電極を構成しているが、本発明における貫通電極の構成はこれに限られるものではなく、金属部材（金属ピン、金属ワイヤなど）を貫通孔３３に挿入し、ベース基板３０を溶融させることで貫通孔３３を封止する構成であってもよい。
【００３５】
電子素子２０がベース基板３０上に実装されている状態において、リッド基板１０に形成された凸部１２の先端は電子素子２０表面に当接している。本実施形態では、凸部１２の表面にゲッター膜１１が成膜されているので、凸部１２の先端は、ゲッター膜１１を介して電子素子２０表面に当接していることになる。
【００３６】
かかる構成により、外部電極３１から電圧が印加されることによって電子素子２０で生じた熱を、凸部１２を経由してリッド基板１０から外部に放熱することが可能になる。これにより、電子素子２０の動作温度を適温に保つことが可能になり、電子部品１の高機能化を実現することができる。さらに、本実施形態では、凸部１２の表面にゲッター膜１１が形成されているので、キャビティ内の真空度を高めることができる。その結果、電子部品１のさらなる高機能化を実現することが可能になる。
【００３７】
さらに本実施形態では、凸部１２の表面にゲッター膜１１を形成することで、平板状の基板にゲッター膜を形成する場合と比較すると、ゲッター膜１１の面積を容易に増加させることができ、より好適にキャビティ内の真空度を高めることが可能になる。
【００３８】
以上より、本実施形態によれば、リッド基板１０に対して凸部１２を形成し、その凸部１２の少なくとも先端を電子素子２０に当接させることで、電子素子２０で生じた熱を効率的に放熱して電子部品１の高機能化を実現できる。また、凸部１２にゲッター膜１１を成膜することで、キャビティ内の真空度を高め、電子部品２０のさらなる高機能化を実現できる。また、凸部１２は電子素子２０とは別体として形成されているので、電子素子に直接凸部１２を形成する場合と比較すると、電子素子２０を小型化しても容易に凸部１２を形成でき、電子部品１の小型化を実現することが可能になる。また、本実施形態の電子部品１によれば、凸部１２を容易に形成することができるので、低コストに高機能化、小型化を実現することが可能になる。
【００３９】
（第２実施形態）
図３を参照して、第２実施形態に係る電子部品２について説明する。なお、第１実施形態と同一の構成に関しては、図１、図２と同一の符号を付して説明を省略する。
【００４０】
本実施形態では、リッド基板１０が主面部分１０ａと側壁部分１０ｂとを有しており、主面部分１０ａがシリコン材料によって形成されており、側壁部分１０ｂがガラス材料によって形成されていることを特徴とする。なお、主面部分１０ａと側壁部分１０ｂとが予め接合されたリッド基板１０を用いてもよいし、側壁部分１０ｂを枠状部材によって構成し、主面部分１０ａを平板状のリッド基板によって構成してもよい。
【００４１】
そして凸部１２は、主面部分１０ａの内側面に形成されている。なお、凸部１２の構成は第１実施形態で説明したものと同一であるので、ここでは説明を省略する。また、ゲッター膜１１は主面部分１０ａと側壁部分１０ｂの両方に形成されている。
【００４２】
かかる構成によれば、側壁部分１０ｂをガラス材料によって形成しているので、側壁部分１０ｂにおいてレーザ光を透過させることができる。よって、レーザ光によってゲッター膜１１を加熱してゲッター膜のゲッタリング機能をさらに高めることも可能になる。即ち、小型化かつ高性能化に対応した電子部品を低コストに提供することが可能になる。
【００４３】
（第３実施形態）
図４を参照して、第３実施形態に係る電子部品のリッド基板１０について説明する。なお、リッド基板１０以外の構成は第１実施形態、又は第２実施形態で説明した構成を適宜採用することが可能であるので、ここではその説明を省略する。
【００４４】
本実施形態では、リッド基板１０の内側側面に形成された凸部１２が金属バンプによって形成されており、さらにその表面にめっき層１８が形成されていることが特徴である。なお、めっき層１８の表面には第１実施形態では説明したゲッター膜１１が形成されている。
【００４５】
かかる構成によれば凸部１２の先端と電子素子２０の表面との間隔が広く、凸部１２の先端を電子素子２０の表面に接触させることが困難な場合であっても、めっき層１８を形成することで、めっき層１８を介して凸部１２と電子素子２０とを当接させることが可能になる。よって、確実に電子素子２０の発熱を放熱させることが可能になる。
【００４６】
また、凸部１２とめっき層１８の材料は同一である必要はない。例えば、凸部１２よりも熱伝導率の高い材料によってめっき層１８を形成することで、電子素子２０の発熱をより効果的に放熱することが可能になる。なお、本実施形態では、金属バンプによって凸部１２を形成しているが、リッド基板１０と一体に凸部１２を形成し、その表面にめっき層１８を形成してもよい。このように本実施形態によれば、小型化かつ高性能化に対応した電子部品を低コストに提供することが可能になる。
【００４７】
（第４実施形態）
本発明の第４実施形態について説明する。なお、本実施形態は、上述した第１実施形態〜第３実施形態と適宜組み合わせることが可能である。
【００４８】
本実施形態では、リッド基板１０の内側側面において、電子素子２０の発熱抵抗（不図示）と対向する領域に「密に」凸部１２を配置している。即ち、発熱抵抗が実装されている領域の対向領域に形成されている凸部１２の間隔が、発熱抵抗の対向領域外に形成されている凸部１２の間隔よりも狭くなっている。
【００４９】
かかる構成によれば、電子素子２０において、特に発熱量の多い領域に凸部１２を密に配置するので、より効果的に電子素子２０の発熱を放熱させることが可能になる。よって、小型化かつ高性能化に対応した電子部品を低コストに提供することが可能になる。
【００５０】
（第５実施形態）
本発明の第５実施形態について説明する。なお、本実施形態は、上述した第１実施形態〜第４実施形態と適宜組み合わせることが可能である。
【００５１】
第１実施形態では、リッド基板１０に形成されている凸部１２の先端が、電子素子２０の表面と当接するとして説明したが、凸部１２の先端以外の領域と電子素子２０表面とが当接する形態であってもよい。例えば凸部１２の側面部分と電子素子２０の表面とを当接させる構成であってもよい。凸部１２の先端のみを当接させる場合と比較すると、凸部１２と電子素子２０との接触面積をより広くすることができるので、より効果的に電子素子２０の発熱を放熱させることができる。
【符号の説明】
【００５２】
１・・・電子部品、１０・・・リッド基板、１１・・・ゲッター膜、１２・・・凸部、２０・・・電子素子、３０・・・ベース基板
【図１】
0006618745.tif 000002
【図２】
0006618745.tif 000003
【図３】
0006618745.tif 000004
【図４】
0006618745.tif 000005